(57)【要約】                                                                【構成】  シリンジ外筒の先端面には注射針を着脱可能に嵌着するための注射針取付管が一体形成されているとともにこの注射針取付管の後端面はシリンジ外筒の内壁面と面一になっており、シリンジ外筒の後端開口部には栓体が着脱可能に内嵌めされ、この栓体には透孔が形成されているとともにこの透孔にはシリンジ外筒の外側からカテラン針が貫通してその内部に達しており、このカテラン針を介して減圧手段によってシリンジ外筒内を減圧可能とした簡易卵胞液吸引装置である。【効果】  注射針取付管を通過した卵胞液をシリンジ外筒の内壁面を伝うようにしてその内部に回収することができる。常に、卵胞液の液面に新たな卵胞液が供給されるため、シリンジ外筒内の卵胞液にバブリングが生ずることはなく、この結果、卵胞液の酸化・変成を防止して正常な発生を確保することができる。【選択図】  図１
2005278728.tif 000002
【特許請求の範囲】
【請求項１】
シリンジ外筒と栓体とカテラン針と注射針と減圧手段とを備え、前記シリンジ外筒の先端面には前記注射針を着脱可能に嵌着するための注射針取付管が一体形成されているとともにこの注射針取付管の後端面は前記シリンジ外筒の内壁面と面一になっており、且つ、前記シリンジ外筒の後端開口部には前記栓体が着脱可能に内嵌めされ、且つ、この栓体には透孔が形成されているとともにこの透孔には前記シリンジ外筒の外側から前記カテラン針が貫通してその内部に達しており、且つ、このカテラン針を介して前記減圧手段によって前記シリンジ外筒内を減圧可能としたことを特徴とする簡易卵胞液吸引装置。
【請求項２】
請求項１の簡易卵胞液吸引装置において、前記栓体の透孔は前記シリンジ外筒の中心に対して前記注射針取付管と反対側の位置に形成されていることを特徴とする簡易卵胞液吸引装置。
【請求項３】
請求項１又は請求項２の簡易卵胞液吸引装置において、前記カテラン針の先端は前記シリンジ外筒の内壁面方向に向かい、その近傍にまで達していることを特徴とする簡易卵胞液吸引装置。
【請求項４】
請求項１の簡易卵胞液吸引装置において、前記カテラン針と前記減圧手段との間にシリンジ用ろ過フィルターを介在させたことを特徴とする簡易卵胞液吸引装置。
【請求項５】
請求項１の簡易卵胞液吸引装置において、前記栓体の代わりにシリンジ内筒を内嵌め可能としたことを特徴とする簡易卵胞液吸引装置。
【請求項６】
請求項１の簡易卵胞液吸引装置において、前記シリンジ外筒の根幹部に張り出し部が設けられていることを特徴とする簡易卵胞液吸引装置。
【発明の詳細な説明】
【技術分野】
【０００１】
この発明は簡易卵胞液吸引装置に関し、主として、哺乳類における未熟成卵子の成熟培地を作成する際に使用される。
【背景技術】
【０００２】
未成熟卵子の体外成熟を行う場合、その成熟培地を作成するにあたって、多量の卵胞液が必要となる。
このため、従来にあっては、卵胞へ注射針を穿刺して吸引することにより遠沈管内へ卵胞液を回収する方法がとられていた。
【０００３】
【特許文献１】特開平１１−２０６７９２号公報
【非特許文献１】成熟培地NCSU37「Petters RM,Wells KD.Culture of pig embryo .J prod Fertil 1993;48(suppl):61-73 」
【発明の開示】
【発明が解決しようとする課題】
【０００４】
しかしなながら、かかる従来の卵胞液吸引装置にあっては、注射針からの吸引管が遠沈管内に突出しているため、この遠沈管内に溜まった卵胞液の液面がこの吸引管に達したときに卵胞液にバブリングが生じ、この結果、卵胞液が酸化・変成し、発生に影響を及ぼしやすいという不都合を有した。
【０００５】
この発明の課題は係る不都合を解消することである。
【課題を解決するための手段】
【０００６】
前記課題達成するために、この発明に係る簡易卵胞液吸引装置においては、シリンジ外筒と栓体とカテラン針と注射針と減圧手段とを備え、前記シリンジ外筒の先端面には前記注射針を着脱可能に嵌着するための注射針取付管が一体形成されているとともにこの注射針取付管の後端面は前記シリンジ外筒の内壁面と面一になっており、且つ、前記シリンジ外筒の後端開口部には前記栓体が着脱可能に内嵌めされ、且つ、この栓体には透孔が形成されているとともにこの透孔には前記シリンジ外筒の外側から前記カテラン針が貫通してその内部に達しており、且つ、このカテラン針を介して前記減圧手段によって前記シリンジ外筒内を減圧可能としたものである。
【０００７】
なお、前記栓体の透孔を前記シリンジ外筒の中心に対して前記注射針取付管と反対側の位置に形成することもできる。
【０００８】
なお、前記カテラン針の先端は前記シリンジ外筒の内壁面方向に向かい、その近傍にまで達するようにすることもできる。
【０００９】
また、前記カテラン針と前記減圧手段との間にシリンジ用ろ過フィルターを介在させることもできる。
【００１０】
また、前記栓体の代わりにシリンジ内筒を内嵌め可能とすることもできる。
【００１１】
また、前記シリンジ外筒の根幹部に張り出し部が設けることもできる。
【発明の効果】
【００１２】
この発明に係る簡易卵胞液吸引装置は、シリンジ外筒と栓体とカテラン針と注射針と減圧手段とを備え、前記シリンジ外筒の先端面には前記注射針を着脱可能に嵌着するための注射針取付管が一体形成されているとともにこの注射針取付管の後端面は前記シリンジ外筒の内壁面と面一になっており、且つ、前記シリンジ外筒の後端開口部には前記栓体が着脱可能に内嵌めされ、且つ、この栓体には透孔が形成されているとともにこの透孔には前記シリンジ外筒の外側から前記カテラン針が貫通してその内部に達しており、且つ、このカテラン針を介して前記減圧手段によって前記シリンジ外筒内を減圧可能としたため、
前記注射針を卵胞に穿刺した状態で前記シリンジ外筒内を減圧することによって、前記注射針取付管を通過した卵胞液を前記シリンジ外筒の内壁面を伝うようにしてその内部に回収することができる。
【００１３】
よって、この簡易卵胞液吸引装置を使用すれば、前記シリンジ外筒内においてで、常に、溜まった卵胞液の液面に新たな卵胞液が供給されるため、前記シリンジ外筒内の卵胞液にバブリングが生ずることはなく、この結果、卵胞液の酸化・変成を防止して、正常な発生を確保することができる。
【００１４】
また、卵胞液が前記注射針取付管を介して他の部材を介在することなく直接、前記シリンジ外筒内に回収されるため、従来に比し、卵胞液のロスを最小限に抑えることができるとともに汚染の危険性も抑えることができる。
【００１５】
また、前記シリンジ外筒の先端面に前記注射針が位置しているため、このシリンジ外筒を保持しながら作業することによって、作業者は吸引状態を確認しながら卵巣からの卵胞液を回収することができ、この結果、誤吸引や吸引器以外への汚染を防止することができる。
【００１６】
また、前記注射針と前記シリンジ外筒と前記カテラン針とが略一直線状に配置されているため、卵胞液の吸引に負担がかかりにくく、その上、故障を発見しやすいものである。
【００１７】
また、前記シリンジ外筒の後端に栓体が設置されているため、この簡易卵胞液吸引装置の重心がこの後端部に位置する結果、吸引装置自体が安定するとともに卵胞液はこの後端部に溜まりやすいものである。
【００１８】
なお、前記栓体の透孔を前記シリンジ外筒の中心に対して前記注射針取付管と反対側の位置に形成すれば、カテラン針の先端は前記シリンジ外筒の内壁面を伝っている卵胞液と対面することはないため、誤って卵胞液を吸引することはない。
【００１９】
また、前記カテラン針の先端は前記シリンジ外筒の内壁面方向に向かい、その近傍にまで達するようにすれば、カテラン針の先端は卵胞液の液面からは最も遠い位置に配置しているため、カテラン針が卵胞液を誤って吸引することはより一層ないものである。
【００２０】
なお、前記カテラン針と前記減圧手段との間にシリンジ用ろ過フィルターを介在させれば、シリンジ用ろ過フィルターの上流側が汚染しても、減圧手段への汚染を防止することができる。
【００２１】
また、前記栓体の代わりにシリンジ内筒を内嵌め可能とすれば、卵胞液回収後にシリンジ内筒を内嵌めすることによって、そのまま、分注することができる。この場合、注射器であるため、目盛りを確認しながら実施できるため正確且つ効率的に分注することができる。
【００２２】
また、前記シリンジ外筒の根幹部に張り出し部が設けられているため、机上のおいた場合に回転する危険性はなく、卵胞液回収作業がしやすいものである。
【発明を実施するための最良の形態】
【００２３】
本発明は、シリンジ外筒の先端面には、注射針を着脱可能に嵌着するための注射針取付管が一体形成されているとともにこの注射針取付管の後端面がシリンジ外筒の内壁面と面一になっており、且つ、シリンジ外筒の後端開口部には栓体が着脱可能に内嵌めされ、且つ、この栓体には透孔が形成されているとともにこの透孔にはシリンジ外筒の外側からカテラン針が貫通してその内部に達しており、且つ、このカテラン針を介して減圧手段によってシリンジ外筒内を減圧可能としたことに最も主要な特徴を有する。哺乳類における未熟成卵子の成熟培地を作成する際に適用しやすいものである。
【実施例１】
【００２４】
以下、この発明の実施例を説明する。
【００２５】
図１はこの発明に係る簡易卵胞液吸引装置の部分断面正面図、図２は図１におけるII-II 断面図、図３はこの発明に係る簡易卵胞液吸引装置の使用状態図である。
【００２６】
図１及び図２において、Ａは簡易卵胞液吸引装置であり、その主要部として、従来存在する注射器（単純な構造で使い捨て可能である）を使用している。
【００２７】
10はシリンジ外筒であり、透明プラスチックで形成されている。このシリンジ外筒10は有底筒状であり、後端開口部11を有している。また、12は回転防止のための張り出し部であり、前記シリンジ外筒10の後端部に一体形成されている。
【００２８】
13は注射針取付管であり、前記シリンジ外筒10の先端面の外周側に一体形成されている。この注射針取付管13は注射針20を着脱可能に嵌着するためのものである。なお、この注射針取付管13の後端面は前記シリンジ外筒10の内壁面と面一になっている。
【００２９】
次に、30はシリコン栓であり、前記シリンジ外筒10の後端開口部11に着脱可能に内嵌めされている。このシリコン栓30はこの発明の「栓体」に該当する。31は透孔であり、前記シリコン栓30の中心Ｏより僅かにずれた位置に形成されている。この透孔31は内側に向かうに従って漸次外周側に寄っている。なお、図２に示すように、この前記シリコン栓30は、この透孔31が前記シリコン栓30の中心Ｏ対して前記注射針取付管13と反対側に位置するように前記シリンジ外筒10に嵌められている。
【００３０】
50はカテラン針であり、前記シリコン栓30の透孔31に気密状態で貫通している。このカテラン針50は前記シリンジ外筒10の内壁面方向に向かい、その近傍にまで達している。
【００３１】
60は吸引装置（この発明の「減圧手段」に相当する）であり、シリンジ用ろ過フィルター70を介して前記カテラン針50の後端に繋がれている。この吸引装置60を介して、前記シリンジ外筒10内を減圧することができる。また、シリンジ用ろ過フィルター70はこれより下流部の汚染を防止するためのものである。
【００３２】
このように構成される簡易卵胞液吸引装置Ａの使用方法を図３に基づいて説明する。
【００３３】
まず、吸引装置60の電源を入れてシリンジ外筒10内を減圧する。作業者は、カテラン針50が上を向くようにして、即ち、注射針取付管13が下になるようにしてシリンジ外筒10を把持する。そして、注射針20を卵胞Ｂに穿刺し卵胞液Ｅを吸引する。シリンジ外筒10内に卵胞液Ｅがある程度貯蔵されたら、吸引装置60の電源を切って、シリコン栓30を外し、代わりに、シリンジ内筒80を内嵌めして、別のチューブ91に移す。必要量を採取するまでこの作業を繰り返す。
【産業上の利用可能性】
【００３４】
成熟培地を作成する際に、卵胞液を採取する装置として未成熟卵子の体外成熟を行う場合に利用できる。
【図面の簡単な説明】
【００３５】
【図１】図１はこの発明に係る簡易卵胞液吸引装置の部分断面正面図である。
【図２】図２は図１におけるII-II 断面図である。
【図３】図３はこの発明に係る簡易卵胞液吸引装置の使用状態図である。
【符号の説明】
【００３６】
Ａ  …  簡易卵胞液吸引装置
10  …  シリンジ外筒
11  …  後端開口部
12  …  張り出し部
13  …  注射針取付管  
20  …  注射針
30  …  栓体
50  …  カテラン針
51  …  透孔
60  …  吸引装置（減圧手段）
70  …  シリンジ用ろ過フィルター
80  …  シリンジ内筒
【図１】
2005278728.tif 000003
【図２】
2005278728.tif 000004
【図３】
2005278728.tif 000005